(57)【要約】【課題】ケーブルの接続を、現場で、個人差なく、防水性を持たせて能率良く行える防水コネクタを得る。【解決手段】コネクタ本体４，１３の後部とこれに各端子３，１２を介して接続したケーブル８，１９との外周に、防水カバー６，１７を嵌め付ける。これら防水カバー６，１７の後部内周には、各端子３，１２に接続するケーブル８，１９の外周に加圧接触する後向きに傾斜した環状の止水突条６ｃ，１７ｃを複数段に突設する。雌コネクタ本体１３の前部の嵌め込み筒部１３ａの基部外周には、雌コネクタ本体１３の立上がり部と雄コネクタ本体４の前筒部４ａの先端面とで挟持し止水する第１の止水リング１５と、嵌め込み筒部１３ａの基部外周と雄コネクタ本体４の前筒部４ａの内周とで挟持して止水する第２の止水リング１６とをが支持させる。【選択図】  図６
2004164901.tif 000002
【特許請求の範囲】
【請求項１】
それぞれ防水構造の雄コネクタと雌コネクタを防水状態で接続する防水コネクタにおいて、
前記雄コネクタは雄端子が合成樹脂よりなる雄コネクタ本体でモールドされ、前記雄コネクタ本体の前部では前記雄端子の先端部が該雄コネクタ本体の前筒部内に突設され、前記雄コネクタ本体の後部では前記雄端子の後端部が露出され、前記雄コネクタ本体の後部外周にはゴム製の雄防水カバーの前部が装着され、前記雄防水カバーはその前端部内周に突設されている環状の係止突条が前記雄コネクタ本体の後部外周の溝に嵌合され、前記係止突条の後の前記雄防水カバーの内周には前記雄コネクタ本体の後部外周に加圧接触する環状の止水突条が複数段に突設され、前記雄防水カバーの後部内周にはこの雄コネクタに接続されるケーブルの外周に加圧接触する後向きに傾斜した環状の止水突条が複数段に突設され、前記雄コネクタ本体の前部外周にはある位置で前進が阻止される状態で筒状の雄コネクタハウジングが装着された構造になっており、
前記雌コネクタは前記雄端子に接続される雌端子が合成樹脂よりなる雌コネクタ本体でモールドされ、前記雌コネクタ本体の前部には前記雄コネクタ本体の前記前筒部内に嵌め込まれる嵌め込み筒部が突設され、前記嵌め込み筒部内には前記雄端子の先端部が嵌め込み接続される前記雌端子の先端の雌部が収納され、前記嵌め込み筒部の基部外周には前記雌コネクタ本体の立上がり部と前記雄コネクタ本体の前記前筒部の先端面とで挟持されて止水する第１の止水リングと前記嵌め込み筒部の基部外周と前記雄コネクタ本体の前記前筒部の内周とで挟持されて止水する第２の止水リングとが支持され、前記雌コネクタ本体の後部では前記雌端子の後端部が露出され、前記雌コネクタ本体の後部外周にはゴム製の雌防水カバーの前部が装着され、前記雌防水カバーはその前端部内周に突設されている環状の係止突条が前記雌コネクタ本体の後部外周の溝に嵌合され、前記係止突条の後の前記雌防水カバーの内周には前記雌コネクタ本体の後部外周に加圧接触する環状の止水突条が複数段に突設され、前記雌防水カバーの後部内周にはこの雌コネクタに接続されるケーブルの外周に加圧接触する後向きに傾斜した環状の止水突条が複数段に突設され、前記雌コネクタ本体の前部外周にはある位置で前進が阻止されて前記雄防水カバーにネジ結合で接続される筒状の雌コネクタハウジングが装着された構造になっている防水コネクタ。
【発明の詳細な説明】
【０００１】
【発明の属する技術分野】
本発明は、それぞれ防水構造の雄コネクタと雌コネクタを防水状態で接続する防水コネクタに関するものである。
【０００２】
【従来の技術】
例えば、鉄道線路のポイント周辺を融雪する電気融雪器では、従来、この電気融雪器から引き出したケーブルの各導体と電源ケーブルの各導体との対応するものを導体スリーブの中に差し込んで圧着接続することにより導体接続部をそれぞれ形成し、これらの導体接続部を自己融着テープの巻回により絶縁し、これらの絶縁した導体接続部の全体を自己融着テープの巻回により防水保護していた。
【０００３】
【発明が解決しようとする課題】
しかしながら、このような構造では、作業者のテープ巻き技術によって、絶縁や防水性能にバラツキが生じて品質が安定せず、またテープ巻き処理に時間がかかる問題点があった。
【０００４】
また、分電盤で各電気融雪器の絶縁測定を行って異常が出ると、各導体接続部を解体して、電気融雪器側の絶縁と電源側の絶縁とを個別に測定し、異常箇所を特定する。その後、異常側を交換して、電気融雪器から引き出したケーブルの各導体と電源ケーブルの各導体と前述したように接続し、自己融着テープの巻回により絶縁し、全体を自己融着テープの巻回により防水していたので、非常に手間がかかる問題点があった。
【０００５】
本発明の目的は、ケーブルの接続を、現場で、個人差なく、防水性を持たせて能率良く行える防水コネクタを提供することにある。
【０００６】
【課題を解決するための手段】
本発明は、それぞれ防水構造の雄コネクタと雌コネクタを防水状態で接続する防水コネクタにかかわるものである。
【０００７】
本発明の防水コネクタでは、
雄コネクタは雄端子が合成樹脂よりなる雄コネクタ本体でモールドされ、雄コネクタ本体の前部では雄端子の先端部が該雄コネクタ本体の前筒部内に突設され、雄コネクタ本体の後部では雄端子の後端部が露出され、雄コネクタ本体の後部外周にはゴム製の雄防水カバーの前部が装着され、該雄防水カバーはその前端部内周に突設されている環状の係止突条が雄コネクタ本体の後部外周の溝に嵌合され、係止突条の後の雄防水カバーの内周には雄コネクタ本体の後部外周に加圧接触する環状の止水突条が複数段に突設され、雄防水カバーの後部内周にはこの雄コネクタに接続されるケーブルの外周に加圧接触する後向きに傾斜した環状の止水突条が複数段に突設され、雄コネクタ本体の前部外周にはある位置で前進が阻止される状態で筒状の雄コネクタハウジングが装着された構造になっており、
雌コネクタは雄端子に接続される雌端子が合成樹脂よりなる雌コネクタ本体でモールドされ、該雌コネクタ本体の前部には雄コネクタ本体の前筒部内に嵌め込まれる嵌め込み筒部が突設され、嵌め込み筒部内には雄端子の先端部が嵌め込み接続される雌端子の先端の雌部が収納され、嵌め込み筒部の基部外周には雌コネクタ本体の立上がり部と雄コネクタ本体の前筒部の先端面とで挟持されて止水する第１の止水リングと嵌め込み筒部の基部外周と雄コネクタ本体の前筒部の内周とで挟持されて止水する第２の止水リングとが支持され、雌コネクタ本体の後部では雌端子の後端部が露出され、雌コネクタ本体の後部外周にはゴム製の雌防水カバーの前部が装着され、雌防水カバーはその前端部内周に突設されている環状の係止突条が雌コネクタ本体の後部外周の溝に嵌合され、係止突条の後の雌防水カバーの内周には雌コネクタ本体の後部外周に加圧接触する環状の止水突条が複数段に突設され、雌防水カバーの後部内周にはこの雌コネクタに接続されるケーブルの外周に加圧接触する後向きに傾斜した環状の止水突条が複数段に突設され、雌コネクタ本体の前部外周にはある位置で前進が阻止されて雄防水カバーにネジ結合で接続される筒状の雌コネクタハウジングが装着された構造になっている。
【０００８】
このよう防水コネクタは、現場で接続作業が行われる。この際に、雄コネクタ本体の後部では雄端子の後端部が露出され、雌コネクタ本体の後部では雌端子の後端部が露出されているので、ケーブルの導体を容易に接続することができる。
【０００９】
雄コネクタ本体の後部とこれに接続されるケーブルとの外周と、雌コネクタ本体の後部とこれに接続されるケーブルとの外周とには、それぞれ雄防水カバーや雌防水カバーが嵌め付けられ、これら防水カバーはその前端では係止突条が各コネクタ本体の後部外周の溝に嵌合されて抜け止めされ、これら係止突条の後の各防水カバーの内周には各コネクタ本体の後部外周に加圧接触する環状の止水突条が複数段に突設されているので、これら防水カバーの前端からの浸水を防止することができる。また、これら防水カバーの後部内周には、特に、これらコネクタに接続されるケーブルの外周に加圧接触する後向きに傾斜した環状の止水突条が複数段に突設されているので、これら後向きに傾斜した環状の止水突条によりケーブルの表面に沿っての水の浸入を確実に防止することができる。
【００１０】
また、雌コネクタ本体の前部の嵌め込み筒部の基部外周には、該雌コネクタ本体の立上がり部と雄コネクタ本体の前筒部の先端面とで挟持されて止水する第１の止水リングと、嵌め込み筒部の基部外周と雄コネクタ本体の前筒部の内周とで挟持されて止水する第２の止水リングとが支持されているので、雌コネクタ本体と雄コネクタ本体との接続部分からの水の浸入を確実に防止することができる。特に、第１，第２の止水リングで２段に止水すると、雄コネクタハウジングと雌コネクタハウジングとのネジ結合が万一緩むことがあっても、第２の止水リングが加圧状態で存在しているので、水の浸入を阻止することができる。
【００１１】
【発明の実施の形態】
図１乃至図６は本発明に係る防水コネクタの実施の形態の一例を示したもので、図１は本例の防水コネクタの雄コネクタの上半部縦断側面図、図２（Ａ）（Ｂ）は図１に示す雄コネクタの前部と後部の正面図及び背面図、図３は本例の防水コネクタの雌コネクタの上半部縦断側面図、図４（Ａ）（Ｂ）は図３に示す雌コネクタの前部と後部の正面図及び背面図、図５（Ａ）（Ｂ）は本例で用いている雄防水カバーと雌防水カバーの上半部縦断側面図、図６は本例の防水コネクタの上半部縦断側面図である。
【００１２】
本例の防水コネクタは、それぞれ防水構造の雄コネクタ１と雌コネクタ２とで構成されている。
【００１３】
この雄コネクタ１では、銅或いは銅合金等よりなる２本の雄端子３が例えばポリ塩化ビニル等の合成樹脂よりなる雄コネクタ本体４でモールドされている。特に、本例では、２本の雄端子３は、最初に例えばエポキシ樹脂の如き位置決め樹脂５で中間部がモールドされた状態で、この位置決め樹脂５を内蔵するようにして雄コネクタ本体４でモールドされている。各雄端子３は、それぞれの先端側の外周に弾性膨らみ導体部３ａが設けられている。これら弾性膨らみ導体部３ａは、通常は膨らんでいて、押圧力が加わるとその圧力に応じて縮径されるようになっている。これら雄端子３は、図２（Ａ）（Ｂ）に示すように、雄コネクタ本体４の中心の水平線に対してθなる角度で上向きに傾斜した位置に配置されていて、これら雄端子３の個々の接続相手に対する誤接続が防止されるようになっている。
【００１４】
雄コネクタ本体４の前部では筒状に前筒部４ａが突設されていて、雄端子３の先端部がこの前筒部４ａ内に突設されている。雄コネクタ本体４の後部では、雄端子３の後端部が露出されている。雄コネクタ本体４の後部端面には、２本の雄端子３の間に位置させて突出する絶縁仕切り部４ｂが設けられている。
【００１５】
雄コネクタ本体４の後部外周には、ゴム製の雄防水カバー６の前部が装着されている。雄防水カバー６は、その前端部内周に突設されている環状の係止突条６ａが雄コネクタ本体４の後部外周の溝７に嵌合され、係止突条６ａの後の雄防水カバー６の内周には雄コネクタ本体４の後部外周に加圧接触する環状の止水突条６ｂが複数段に突設され、雄防水カバー６の後部内周にはこの雄コネクタ１に接続されるケーブル８の外周に加圧接触する後向きに傾斜した環状の止水突条６ｃが複数段に突設され、これら止水突条６ｃが設けられている雄防水カバー６の後部外周にはこの部分が曲がり易くなるように凹凸部６ｄが複数段に設けられた構造になっている。
【００１６】
雄コネクタ本体４の前部外周には、長手方向のある位置にある段部４ｃに内鍔部９ａが係止されて前進が阻止される状態で筒状の雄コネクタハウジング９が装着されている。この雄コネクタハウジング９に前部には小径の前筒部９ｂが突設され、この前筒部９ｂの外周には雄ネジが刻設されている。雄コネクタハウジング９の内鍔部９ａが嵌まる雄コネクタ本体４の外周には、内鍔部９ａの後面に当たって雄コネクタハウジング９の後退を阻止するテーパ突起１０と雄コネクタハウジング９を回り止めする高さが一定の回り止め突起１１とが交互に突設されている。テーパ突起１０は、雄コネクタハウジング９に当接する側が高く、その当接側から離れるにつれて徐々に低くなるテーパ状となっている。テーパ突起１０の雄コネクタハウジング９に当接する側の高さは、雄コネクタハウジング９を嵌める際に内鍔部９ａの内周で押されて高さが低くなって該内鍔部９ａを通過させることができる程度の高さとなっている。
【００１７】
雌コネクタ２は、２本の雄端子３に接続される銅或いは銅合金等よりなる雌端子１２が例えばポリ塩化ビニル等の合成樹脂よりなる雌コネクタ本体１３でモールドされている。特に、本例では、２本の雌端子１２は、最初に例えばエポキシ樹脂の如き位置決め樹脂１４で中間部がモールドされた状態で、この位置決め樹脂１４を内蔵するようにして雌コネクタ本体１３でモールドされている。雌コネクタ本体１３の前部には、雄コネクタ本体４の前筒部４ａ内に嵌め込まれる嵌め込み筒部１３ａが突設されている。
【００１８】
雌コネクタ本体１３の嵌め込み筒部１３ａ内には、雄端子３の先端部を嵌め込み接続するための各雌端子１２の先端の雌部１２ａがそれぞれ収納されている。これら雌端子１２は、図４（Ａ）（Ｂ）に示すように、雌コネクタ本体１３の中心の水平線に対してθなる角度で上向きに傾斜した位置に配置されていて、これら雌端子１２の個々の接続相手に対する誤接続が防止されるようになっている。
【００１９】
雌コネクタ本体１３の嵌め込み筒部１３ａの基部外周には、雌コネクタ本体１３の立上がり部１３ｂと雄コネクタ本体４の前筒部４ａの先端面とで挟持されて止水するＯリングよりなる第１の止水リング１５と嵌め込み筒部１３ａの基部外周と雄コネクタ本体４の前筒部４ａの内周とで挟持されて止水するＯリングよりなる第２の止水リング１６とが支持されている。雌コネクタ本体１３の後部では、雌端子１２の後端部が露出されている。
【００２０】
雌コネクタ本体１３の後部外周には、ゴム製の雌防水カバー１７の前部が装着されている。該雌防水カバー１７は、その前端部内周に突設されている環状の係止突条１７ａが雌コネクタ本体１３の後部外周の溝１８に嵌合され、係止突条１７ａの後の雌防水カバー１７の内周には雌コネクタ本体１３の後部外周に加圧接触する環状の止水突条１７ｂが複数段に突設され、雌防水カバー１７の後部内周にはこの雌コネクタ２に接続されるケーブル１９の外周に加圧接触する後向きに傾斜した環状の止水突条１７ｃが複数段に突設され、これら止水突条１７ｃが設けられている雌防水カバー１７の後部外周にはこの部分が曲がり易くなるように凹凸部１７ｄが複数段に設けられた構造になっている。
【００２１】
雌コネクタ本体１３の前部外周には、長手方向のある位置にある段部１３ｃに内鍔部２０ａが係止されて前進が阻止される状態で筒状の雌コネクタハウジング２０が装着されている。この雌コネクタハウジング２０は、雄コネクタハウジング９への接続時に雌コネクタ本体１３の外周で回転できるようになっている。この雌コネクタハウジング２０の前部内周には、雄コネクタハウジング９の前筒部９ｂを嵌め込むことができるように凹部２０ｂが開口されている。この凹部２０ｂの内周には雌ネジが刻設され、雄コネクタハウジング９の前筒部９ｂの外周の雄ネジにネジ結合で接続されるようになっている。
【００２２】
雌コネクタ本体１３の後部端面には、２本の雌端子１２の間に位置させて突出する絶縁仕切り部１３ｄが設けられている。
【００２３】
このよう防水コネクタは、現場で接続作業が行われる。この際に、雄コネクタ本体４の後部では雄端子３の後端部が露出され、雌コネクタ本体１３の後部では雌端子１２の後端部が露出されているので、ケーブル８，１９の導体を圧着や半田付けで容易に接続することができる。雄コネクタ本体４の後部とこれに接続されるケーブル８との外周と、雌コネクタ本体１３の後部とこれに接続されるケーブル１９との外周とには、それぞれ雄防水カバー６や雌防水カバー１７が嵌め付けられ、これら防水カバー６，１７はその前端では係止突条６ａ，１７ａが各コネクタ本体４，１３の後部外周の溝７，１８に嵌合されて抜け止めされ、これら係止突条６ａ，１７ａの後の各防水カバー６，１７の内周には各コネクタ本体４，１３の後部外周に加圧接触する環状の止水突条６ｂ，１７ｂが複数段に突設されているので、これら防水カバー６，１７の前端からの浸水を防止することができる。また、これら防水カバー６，１７の後部内周には、特に、これらコネクタ１，２に接続されるケーブル８，１９の外周に加圧接触する後向きに傾斜した環状の止水突条６ｃ，１７ｃが複数段に突設されているので、これら後向きに傾斜した環状の止水突条６ｃ，１７ｃによりケーブル８，１９の表面に沿っての水の浸入を確実に防止することができる。
【００２４】
また、雌コネクタ本体１３の前部の嵌め込み筒部１３ａの基部外周には、該雌コネクタ本体１３の立上がり部１３ｃと雄コネクタ本体４の前筒部４ａの先端面とで挟持されて止水する第１の止水リング１５と、嵌め込み筒部１３ａの基部外周と雄コネクタ本体４の前筒部４ａの内周とで挟持されて止水する第２の止水リング１６とが支持されているので、雌コネクタ本体１３と雄コネクタ本体４との接続部分からの水の浸入を確実に防止することができる。特に、第１，第２の止水リング１５，１６で２段に止水すると、雄コネクタハウジング９と雌コネクタハウジング２０とのネジ結合が万一緩むことがあっても、第２の止水リング１６が加圧状態で存在しているので、水の浸入を阻止することができる。
【００２５】
この防水コネクタを、前述した鉄道線路のポイント周辺を融雪する電気融雪器で、この電気融雪器から引き出したケーブルと電源ケーブルとを接続する防水コネクタとして適用した場合には、相互のケーブルの接続と分離が簡単になり、点検や修理の作業を能率良く、短時間に行うことができる。
【００２６】
また、この防水コネクタは、他の用途の防水コネクタとしても使用できることは勿論である。
【００２７】
【発明の効果】
本発明に係る防水コネクタでは、現場で接続作業を容易に行うことができる。特に、雄コネクタ本体の後部とこれに接続されるケーブルとの外周と、雌コネクタ本体の後部とこれに接続されるケーブルとの外周とには、それぞれ雄防水カバーや雌防水カバーが嵌め付けられ、これら防水カバーはその前端では係止突条が各コネクタ本体の後部外周の溝に嵌合されて抜け止めされ、これら係止突条の後の各防水カバーの内周には各コネクタ本体の後部外周に加圧接触する環状の止水突条が複数段に突設されているので、これら防水カバーの前端からの浸水を防止することができる。また、これら防水カバーの後部内周には、これらコネクタに接続されるケーブルの外周に加圧接触する後向きに傾斜した環状の止水突条が複数段に突設されているので、これら後向きに傾斜した環状の止水突条によりケーブルの表面に沿っての水の浸入を確実に防止することができる。
【００２８】
また、雌コネクタ本体の前部の嵌め込み筒部の基部外周には、該雌コネクタ本体の立上がり部と雄コネクタ本体の前筒部の先端面とで挟持されて止水する第１の止水リングと、嵌め込み筒部の基部外周と雄コネクタ本体の前筒部の内周とで挟持されて止水する第２の止水リングとが支持されているので、雌コネクタ本体と雄コネクタ本体との接続部分からの水の浸入を確実に防止することができる。このように第１，第２の止水リングで２段に止水すると、雄コネクタハウジングと雌コネクタハウジングとのネジ結合が万一緩むことがあっても、第２の止水リングが加圧状態で存在しているので、水の浸入を阻止することができる。
【図面の簡単な説明】
【図１】本発明に係る防水コネクタの実施の形態の一例での雄コネクタの上半部縦断側面図である。
【図２】（Ａ）（Ｂ）は図１に示す雄コネクタの前部と後部の正面図及び背面図である。
【図３】本例の防水コネクタの雌コネクタの上半部縦断側面図である。
【図４】（Ａ）（Ｂ）は図３に示す雌コネクタの前部と後部の正面図及び背面図である。
【図５】（Ａ）（Ｂ）は本例で用いている雄防水カバーと雌防水カバーの上半部縦断側面図である。
【図６】本例の防水コネクタの上半部縦断側面図である。
【符号の説明】
１  雄コネクタ
２  雌コネクタ
３  雄端子
３ａ  弾性膨らみ導体部
４  雄コネクタ本体
４ａ  前筒部
４ｂ  絶縁仕切り部
４ｃ  段部
５  位置決め樹脂
６  雄防水カバー
６ａ  係止突条
６ｂ，６ｃ  止水突条
６ｄ  凹凸部
７  溝
８  ケーブル
９  テーパ突起
９ａ  内鍔部
９ｂ  前筒部
１０  テーパ突起
１１  回り止め突起
１２  雌端子
１２ａ  雌部
１３  雌コネクタ本体
１３ａ  嵌め込み筒部
１３ｂ  立上がり部
１３ｃ  段部
１３ｄ  絶縁仕切り部
１４  位置決め樹脂
１５  第１の止水リング
１６  第２の止水リング
１７  雌防水カバー
１７ａ  係止突条
１７ｂ，１７ｃ  止水突条
１７ｄ  凹凸部
１８  溝
１９  ケーブル
２０  雌コネクタハウジング
２０ａ  内鍔部
２０ｂ  凹部
【図１】
2004164901.tif 000003
【図２】
2004164901.tif 000004
【図３】
2004164901.tif 000005
【図４】
2004164901.tif 000006
【図５】
2004164901.tif 000007
【図６】
2004164901.tif 000008